【手続補正書】
【提出日】平成25年3月7日(2013.3.7)
【手続補正１】
【補正対象書類名】特許請求の範囲
【補正対象項目名】全文
【補正方法】変更
【補正の内容】
【特許請求の範囲】
【請求項１】
第１のシリンダ（２２）を有する第１のハウジング（１２）と、第２のシリンダ（２４）を有する第２のハウジング（１４）と、前記第１のハウジング（１２）と前記第２のハウジング（１４）の間に設けられたモータ（１６）と、前記モータ（１６）の主軸（１００）の両端に結合された第１及び第２のピストン組立て品（２５、２７）を有し、前記第１のピストン組立て品（２５）に結合された前記主軸（１００）の一端が前記第１のハウジング（１２）内に伸長し、前記第２のピストン組立て品（２７）に結合された前記主軸（１００）の一端が前記第２のハウジング（１４）内に伸長し、各前記ピストン組立て品（２５、２７）がピストン（９２）と、つり合い重り部（９６）及び第１の軸（１０６）を有するスタブ部（９８）を有する偏心器（９４）であって、前記第１の軸（１０６）と平行でかつ前記第１の軸（１０６）から離間している第２の軸（１０４）を有すると共に、前記モータの主軸（１００）の一端を受容する孔を有する前記偏心器（９４）とを有し、前記モータの主軸（１００）に前記偏心器（９４）は結合され、この際、前記スタブ部（９８）が前記ピストン（９２）に移動（journal）し、
前記第１のピストン組立て品（２５）の前記ピストン（９２）が前記第１及び第２の軸（１０６、１０４）と平行な軸を有する少なくとも１つの第１の位置合わせ孔（１１０または１１２）を有し、かつ前記第１の第１のピストン組立て品（２５）の前記偏心器（９４）が、前記偏心器（９４）の表面を貫通して開口し前記偏心器（９４）内に伸長し前記第１の位置合わせ孔（１１０または１１２）と位置合わせできる偏心器の位置合わせ孔（１１４）を有し、前記ピストン（９２）が頂部の死点位置または底部の死点位置のうちの一方にあり、第１の直線ピン（１１９）は前記偏心器の位置合わせ孔（１１４）及び前記第１の位置合わせ孔（１１０または１１２）に挿入可能であり、前記第１の直線ピン（１１９）は前記偏心器の位置合わせ孔（１１４）内と前記第１の位置合わせ孔（１１０または１１２）内の両方に同時に伸張することを特徴とするポンプ組立て品。
【請求項２】
前記第１のピストン組立て品（２５）の前記ピストン（９２）の第２の位置合わせ孔（１１０）を更に具備し、前記偏心器の位置合わせ孔（１１４）が前記第１の位置合わせ孔（１１２）と位置合わせされるとき、前記ピストン（９２）が前記頂部の死点位置にあり、かつ前記偏心器の位置合わせ孔（１１４）が前記第２の位置合わせ孔（１１０）と位置合わせされるとき、前記ピストン（９２）が前記底部の死点位置にあり、前記ピストン（９２）が前記底部の死点位置にあるとき、前記第１の直線ピン（１１９）は前記偏心器の位置合わせ孔（１１４）及び前記第１のピストン組立て品（２５）の前記第２の位置合わせ孔（１１０）に挿入可能であり、前記第１の直線ピン（１１９）は前記偏心器の位置合わせ孔（１１４）内と前記第１のピストン組立て品（２５）の前記第２の位置合わせ孔（１１０）内の両方に同時に伸張し、前記ピストン（９２）が前記頂部の死点位置にあるとき、前記第１の直線ピン（１１９）は前記偏心器の位置合わせ孔（１１４）及び前記第１のピストン組立て品（２５）の前記第１の位置合わせ孔（１１２）に挿入可能であり、前記第１の直線ピン（１１９）は前記偏心器の位置合わせ孔（１１４）内と前記第１のピストン組立て品（２５）の前記第１の位置合わせ孔（１１２）内の両方に同時に伸張することを特徴とする請求項１に記載のポンプ組立て品。
【請求項３】
前記第２のピストン組立て品（２７）の前記ピストン（９２）の第１の位置合わせ孔（１１２）と、前記第２のピストン組立て品（２７）の偏心器の位置合わせ孔（１１４）と、を更に具備し、前記第２のピストン組立て品（２７）の前記偏心器の位置合わせ孔（１１４）は前記偏心器（９４）の表面を貫通して開口し前記偏心器（９４）内に伸長し、前記第２のピストン組立て品（２７）の前記ピストン（９２）の前記第１の位置合わせ孔（１１２）が前記第２のピストン組立て品（２７）の前記偏心器の位置合わせ孔（１１４）と位置合わせされる場合と、前記第１のピストン組立て品（２５）の前記ピストン（９２）の前記第１の位置合わせ孔（１１２）が前記第１のピストン組立て品（２５）の前記偏心器の位置合わせ孔（１１４）と位置合わせされる場合とで、前記ピストン（９２）が１８０°位相がずれており、前記第１の直線ピン（１１９）は前記偏心器の位置合わせ孔（１１４）及び前記第１のピストン組立て品（２５）の前記第１の位置合わせ孔（１１２）に挿入可能であり、前記第１の直線ピン（１１９）は前記偏心器の位置合わせ孔（１１４）内と前記第１のピストン組立て品（２５）の前記第１の位置合わせ孔（１１２）内の両方に同時に伸張し、第２の直線ピン（１１９）は前記偏心器の位置合わせ孔（１１４）及び前記第２のピストン組立て品（２７）の前記第１の位置合わせ孔（１１２）に挿入可能であり、前記第１の直線ピン（１１９）は前記偏心器の位置合わせ孔（１１４）内と前記第２のピストン組立て品（２７）の前記第１の位置合わせ孔（１１２）内の両方に同時に伸張することを特徴とする請求項１に記載のポンプ組立て品。
【請求項４】
前記第１の位置合わせ孔（１１２）、前記第２の位置合わせ孔（１１０）、並びに前記偏心器の位置合わせ孔（１１４）を通して同時に伸張可能であり、一方は前記第１の直線ピン（１１９）であり他方は前記第２の直線ピン（１１９）である、２つのピン（１１９）を有する磁気的取付け具（１１５）をさらに具備したことを特徴とする請求項２に記載のポンプ組立て品。
【請求項５】
モータ（１６）の主軸（１００）の両端に結合された第１及び第２のピストン組立て品（２５、２７）を有し、各前記ピストン組立て品（２５、２７）がピストン（９２）と、つり合い重り部（９６）及び第１の軸（１０６）を有するスタブ部（９８）を有する偏心器（９４）であって、前記第１の軸（１０６）と平行でかつ前記第１の軸（１０６）から離間している第２の軸（１０４）を有すると共に、前記モータの主軸（１００）の一端を受容する孔を有する前記偏心器（９４）とを有し、前記モータの主軸（１００）に前記偏心器（９４）は結合され、この際、前記スタブ部（９８）が前記ピストン（９２）に移動（journal）し、
前記第１のピストン組立て品（２５）の前記ピストン（９２）が前記第１及び第２の軸（１０６、１０４）と平行な軸を有する少なくとも１つの第１の位置合わせ孔（１１０または１１２）を有し、かつ前記第１の第１のピストン組立て品（２５）の前記偏心器（９４）が、前記偏心器（９４）の表面を貫通して開口した偏心器の位置合わせ孔（１１４）を有し、前記偏心器の位置合わせ孔（１１４）が前記第１の位置合わせ孔（１１０または１１２）と位置合わせされたとき、前記ピストン（９２）が頂部の死点位置または底部の死点位置のうちの一方にあり、一つの軸が前記偏心器の前記表面を貫通して開口する前記位置合わせ孔（１１４）内に伸張し、前記軸はモータ（１６）の主軸（１００）の軸方向に伸長し、前記軸は前記第１の位置合わせ孔（１１０または１１２）を通じて伸長することを特徴とするポンプ組立て品。
【請求項６】
平行でかつ離間した軸をおのおのが有する２つの分離ポンプ室（２００、２０１）と、おのおのが前記ポンプ室のうちの異なる１つ及び一対のヘッド部材にさし渡る少なくとも１つの管（３６）に関連する前記一対のヘッド部材（３２，３４）とを具備し、この際、前記管が前記ヘッド部材の間に流体コミュニケーションをもたらすと共に、前記ヘッド部材の一方と前記管の各端部で一体的に形成され、この結果、前記ヘッド部材及び前記管が前記ポンプ室の双方に共通であると共に、前記ヘッド部材及び前記管を備えた単一片の連続した材料である単一の一体式に形成されたヘッドを形成し、この結果、前記管が各前記ヘッド部材に前記管を連続的に接続する一体的ヘッドの材料によってもたらされる流体密封で固定の接続部を用いて各前記ヘッド部材に接続され、この結果、前記ヘッドはハンドルとして使用することができ、
前記管は前記管から伸長し前記管中への通路をもたらす一体的に形成されたポート（８８）を含み、前記管（３６）は前記ヘッド部材を互いに接続するポンプ。
【請求項７】
前記ポートは前記２つのヘッド部材の略中間にあることを特徴とする請求項６に記載のポンプ。
【請求項８】
前記ポートは前記ポンプの出口ポートであることを特徴とする請求項６に記載のポンプ。
【請求項９】
前記管は単一の管であることを特徴とする請求項６に記載のポンプ。
【請求項１０】
ポンプのハウジング（１６４）により画定される中空部内に開口する第１の開口部（１６８）と組み合わせられる前部（１７４）を備えた流体ポート（１６６）において、前記中空部は前記第１の開口部（１６８）より大きな体積を有し、前記前部（１７４）は前記第１の開口部（１６８）に差し込み可能である、前記流体ポート（１６６）と前記第１の開口部（１６８）並びに前記中空部において、
前記前部（１７４）は開放端（１８５）を有し、前記開放端（１８５）は前記第１の開口部（１６８）の内側縁（１８４）を通過できる寸法であり、前記内側縁（１８４）は前記第１の開口部（１６８）の一端を画定し、前記一端において、前記第１の開口部（１６８）は前記中空部内に開口し、第１の変形部（１８２）は前記前部（１７４）の前記開放端（１８５）に隣接し、前記第１の変形部（１８２）は前記前部（１７４）の一部から離間するように伸長し、第２の変形部（１８０）は前記第１の変形部（１８２）よりも前記前部（１７４）の前記開放端（１８５）から軸方向に離間し、前記第２の変形部（１８０）は前記前部（１７４）の一部から離間するように伸長し、
前記前部（１７４）が前記第１の開口部（１６８）に挿入されるとき、前記第１の変形部（１８２）が十分な深さで前記内側縁（１８４）を通り越し、外側に伸張して、前記第１の変形部（１８２）が前記内側縁（１８４）を越えて離脱することを防止し、前記第２の変形部（１８０）は前記ポンプ内に開口する前記第１の開口部（１６８）内にあることを特徴とする流体ポート。
【請求項１１】
前記流体ポート（１６６）は前記開放端（１８５）に隣接する保持溝（１７８）を備え、前記第１の変形部（１８２）は前記保持溝（１７８）内にある請求項１０に記載の流体ポート。
【請求項１２】
前記流体ポート（１６６）は前記保持溝（１７８）から軸方向に離間したシール溝（１７６）を備え、前記第２の変形部（１８０）は前記シール溝（１７６）内にある請求項１１に記載の流体ポート。
【請求項１３】
前記第２の変形部（１８０）は前記第１の開口部（１６８）の表面に対してシールする請求項１０に記載の流体ポート。
【請求項１４】
ポンプのハウジング（１６４）により画定される中空部内に開口する第１の開口部（１６８）と組み合わせられる前部（１７４）を備えたポンプ流体ポート（１６６）において、前記中空部は前記第１の開口部（１６８）より大きな体積を有し、前記前部（１７４）は前記第１の開口部（１６８）に差し込み可能である、前記流体ポート（１６６）と前記第１の開口部（１６８）並びに前記中空部において、
前記前部（１７４）内に保持溝（１７８）を具備し、前記前部（１７４）は開放端（１８５）を有し、前記開放端（１８５）は前記第１の開口部（１６８）の内側縁（１８４）を通過できる寸法であり、前記内側縁（１８４）は前記第１の開口部（１６８）の一端を画定し、前記一端において、前記第１の開口部（１６８）は前記中空部内に開口し、前記保持溝（１７８）は前記開放端（１８５）に隣接し、前記保持溝（１７８）は弾性変形部（１８２）を保持できる寸法であり、
前記流体ポート（１６６）が前記弾性変形部（１８２）を含み、前記弾性変形部（１８２）が前記第１の開口部（１６８）に挿入されるとき、十分な深さで前記内側縁（１８４）を通り越し、外側に伸張して、前記内側縁（１８４）に干渉することを特徴とするポンプ流体ポート（１６６）。
【請求項１５】
各ポート（１３８）を有し、前記ポートへのガス流体のコミュニケーション用の少なくとも１つの通路を形成する１つ以上の弾性管状部材（１３２または１５２）を用いてベース（１３６）に取り付けられ、この際、前記弾性管状部材はその一端が前記ポートに接続され、かつその他端が前記ベースに接続されてなることを特徴とするポンプ。
【請求項１６】
前記１つ以上の弾性体が、前記ポンプをマウント上に置くようにして前記ポンプが動作しないときに弛緩し、前記ポンプが動作するときに、前記弾性体が前記ポンプを前記マウントから持ち上げて振動絶縁を用いて前記ポンプを保持する加圧または減圧を受けることを特徴とする請求項１５に記載のポンプ。
【請求項１７】
前記管状体は前記ポンプに振動絶縁をもたらすことを特徴とする請求項１５に記載のポンプ。
【手続補正２】
【補正対象書類名】図面
【補正対象項目名】図３
【補正方法】変更
【補正の内容】
【図３】
2012062903.tif 000001
【手続補正３】
【補正対象書類名】図面
【補正対象項目名】図４
【補正方法】変更
【補正の内容】
【図４】
2012062903.tif 000002
【手続補正４】
【補正対象書類名】図面
【補正対象項目名】図６Ａ
【補正方法】変更
【補正の内容】
【図６Ａ】
2012062903.tif 000003
【手続補正５】
【補正対象書類名】図面
【補正対象項目名】図６Ｂ
【補正方法】変更
【補正の内容】
【図６Ｂ】
2012062903.tif 000004